【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
ウェアラブルデバイスのためのユーザ入力モードを変更するためのシステムであって、前記システムは、
３次元（３Ｄ）ビューをユーザに提示するように構成される、ウェアラブルデバイスのディスプレイシステムであって、前記３Ｄビューは、相互作用可能オブジェクトを備える、ウェアラブルデバイスのディスプレイシステムと、
ユーザ入力を受信するように構成されるユーザ入力デバイスと、
前記ユーザの姿勢と関連付けられたデータを取得するように構成されるセンサと、
前記ユーザ入力デバイスと通信するハードウェアプロセッサであって、前記プロセッサは、
前記相互作用可能オブジェクトと相互作用するための現在のユーザ入力モードが、第１のユーザ入力モードであるかまたは第２のユーザ入力モードであるかを判定することであって、
前記第１のユーザ入力モードは、前記ユーザの姿勢に少なくとも部分的に基づいており、
前記第２のユーザ入力モードは、前記ユーザ入力デバイスからのユーザ入力に少なくとも部分的に基づいている、ことと、
前記ユーザの姿勢に少なくとも部分的に基づいて、前記ユーザの視野（ＦＯＶ）を判定することであって、前記ＦＯＶは、前記ユーザによって所与の時間に知覚された前記ユーザの環境の一部を備える、ことと、
前記ＦＯＶと関連付けられたコンテキスト情報を判定することであって、前記コンテキスト情報は、前記相互作用可能オブジェクトの密度を備える、ことと、
前記現在のユーザ入力モードが前記第１のユーザ入力モードであるという判定に応答して、
前記センサを使用して、前記ユーザの姿勢を監視することと、
前記ディスプレイシステムを介して、前記監視される姿勢に少なくとも部分的に基づいて、前記第１のユーザ入力モードと関連付けられた第１の形状における焦点インジケータを前記ユーザの姿勢に関連する方向に提示することと、
前記相互作用可能オブジェクトの前記密度が第１の閾値密度を越えることを判定することと、
前記相互作用可能オブジェクトの前記密度が前記第１の閾値密度を越えるという判定に基づいて、前記第２のユーザ入力モードに切り替えるための第１のインジケーションを受信することと、
前記第１のインジケーションに応答して、前記現在のユーザ入力モードを前記第２のユーザ入力モードに切り替えることと、
前記現在のユーザ入力モードが前記第２のユーザ入力モードであるという判定に応答して、
前記ユーザ入力デバイスからのユーザ入力を監視することと、
前記ディスプレイシステムを介して、前記監視される入力に少なくとも部分的に基づいて、前記第２のユーザ入力モードと関連付けられた第２の形状における焦点インジケータを提示することと、
前記相互作用可能オブジェクトの前記密度が第２の閾値密度を下回ることを判定することと、
前記相互作用可能オブジェクトの前記密度が前記第２の閾値密度を下回るという判定に基づいて、前記第１のユーザ入力モードに切り替えるための第２のインジケーションを受信することと、
前記第２のインジケーションに応答して、前記現在のユーザ入力モードを前記第１のユーザ入力モードに切り替えることと
を行うようにプログラムされる、ハードウェアプロセッサと
を備える、システム。
【請求項２】
前記コンテキスト情報は、前記ＦＯＶ内の前記相互作用可能オブジェクトのレイアウト、前記ＦＯＶのサイズ、前記ユーザのＦＯＶ内の前記相互作用可能オブジェクトのうちの１つまたは複数のもののサイズのうちの少なくとも１つをさらに備え、
前記プロセッサは、前記コンテキスト情報に少なくとも部分的に基づいて、前記第１のユーザ入力モードから前記第２のユーザ入力モードにまたは前記第２のユーザ入力モードから前記第１のユーザ入力モードに切り替えるためのオプションを提示するようにさらにプログラムされる、請求項１に記載のシステム。
【請求項３】
前記オプションを提示するために、前記プロセッサは、前記現在のユーザ入力モードが前記第１のユーザ入力モードにあるとき、前記第２の形状における前記焦点インジケータを提示し、前記現在のユーザ入力モードが前記第２のユーザ入力モードにあるとき、前記第１の形状における前記焦点インジケータを提示するようにプログラムされる、請求項２に記載のシステム。
【請求項４】
前記第１のインジケーションは、前記ユーザの姿勢における変化を備え、前記第２のインジケーションは、前記ユーザ入力デバイスの作動を備える、請求項１に記載のシステム。
【請求項５】
前記ユーザの姿勢は、頭部姿勢、眼姿勢、足姿勢、または身体姿勢のうちの少なくとも１つを備える、または、前記センサは、内向きに面したイメージングシステム、外向きに面したイメージングシステム、または慣性測定ユニットのうちの少なくとも１つを備える、または、前記ディスプレイシステムは、前記相互作用可能オブジェクトのうちの１つまたは複数のものを複数の深度平面に表示するように構成されるライトフィールドディスプレイを備える、請求項１−４のいずれか１項に記載のシステム。
【請求項６】
ウェアラブルデバイスのためのユーザ入力モードを変更するための方法であって、前記方法は、
コンピュータプロセッサを備えるウェアラブルデバイスの制御下であって、前記ウェアラブルデバイスは、ユーザの動眼視野（ＦＯＲ）内の相互作用可能オブジェクトとのユーザ相互作用を可能にするように構成され、前記ＦＯＲは、前記ウェアラブルデバイスのディスプレイシステムを介して前記ユーザによって知覚可能な前記ユーザの周囲の環境の一部を備える、ウェアラブルデバイスの制御下で、
ユーザの姿勢を判定することと、
前記ディスプレイシステムを介して、標的相互作用可能オブジェクトと関連付けられた第１の焦点インジケータを前記ユーザの姿勢に関連する方向に表示することであって、前記標的相互作用可能オブジェクトは、複数の仮想オブジェクトを備える、ことと、
前記標的相互作用可能オブジェクトの選択を受信することと、
前記ユーザ入力モードを姿勢からユーザ入力デバイス上での手のジェスチャに切り替えるためのオプションを前記ユーザに提示することと、
前記ディスプレイシステムを介して、前記複数の仮想オブジェクトを表示することと、
前記ユーザが前記ユーザ入力モードを姿勢から前記ユーザ入力デバイス上での手のジェスチャに切り替えたという判定に応答して、前記ディスプレイシステムを介して、前記複数の仮想オブジェクトのうちの標的仮想オブジェクトと関連付けられた第２の焦点インジケータを表示することと、
前記ユーザ入力デバイスからのユーザ入力に少なくとも部分的に基づいて、前記第２の焦点インジケータを更新することと
を含み、
前記オプションは、前記標的相互作用可能オブジェクトの選択または前記複数の仮想オブジェクトまたは前記標的相互作用可能オブジェクトと関連付けられたコンテキスト情報に応答して提示され、
前記コンテキスト情報は、前記複数の仮想オブジェクトの密度を備え、前記ユーザ入力モードを姿勢からユーザ入力デバイス上での手のジェスチャに切り替えるためのオプションは、前記複数の仮想オブジェクトの密度が閾値密度を超えるという判定に応答して提示されることを含む、方法。
【請求項７】
前記第２の焦点インジケータを更新することは、前記第２の焦点インジケータを前記標的仮想オブジェクトから前記複数の仮想オブジェクトのうちの別の仮想オブジェクトに移行することを含む、請求項６に記載の方法。
【請求項８】
選択イベントを前記標的仮想オブジェクト上で開始することをさらに含み、前記選択イベントは、前記標的仮想オブジェクトと関連付けられたメニューを開くことまたは前記標的仮想オブジェクトを選択するインジケーションを受信することのうちの少なくとも１つを備える、請求項６に記載の方法。
【請求項９】
前記標的仮想オブジェクトは、前記ユーザの姿勢に少なくとも部分的に基づいて、識別される、請求項６−８のいずれか１項に記載の方法。
【請求項１０】
前記複数の仮想オブジェクトは、天気アプリケーションまたは天文学アプリケーションのうちの少なくとも１つを備え、前記天気アプリケーションの選択に応答して、前記ウェアラブルデバイスは、前記ユーザの環境内のオブジェクト上に重畳された仮想天気情報を表示するようにプログラムされ、前記天文学アプリケーションの選択に応答して、前記ウェアラブルデバイスは、前記ユーザの環境上に重畳された３次元仮想惑星を備える相互作用可能惑星系を表示するようにプログラムされる、請求項６に記載の方法。
【請求項１１】
３次元（３Ｄ）空間内に位置する仮想オブジェクトを選択するためのウェアラブルシステムであって、前記ウェアラブルシステムは、
仮想オブジェクトを３Ｄ空間内に提示するように構成されるディスプレイシステムと、
相互作用可能オブジェクトを前記３Ｄ空間内に記憶するように構成される非一過性データ記憶と、
ユーザの姿勢を判定するように構成されるセンサと、
前記ディスプレイシステム、前記データ記憶、および前記センサと通信するようにプログラムされるハードウェアプロセッサであって、前記プロセッサは、
前記センサから受信されたデータに少なくとも部分的に基づいて、前記ユーザの姿勢を判定することと、
前記ユーザの姿勢に少なくとも部分的に基づいて、前記ユーザの視野（ＦＯＶ）を判定することであって、前記ＦＯＶは、前記ユーザによって所与の時間に知覚された前記ユーザの環境の一部を備える、ことと、
前記ＦＯＶ内の相互作用可能オブジェクトのグループを識別することと、
前記ＦＯＶと関連付けられたコンテキスト情報を判定することであって、前記コンテキスト情報は、前記相互作用可能オブジェクトのグループの密度を備える、ことと、
前記ユーザの姿勢にまたは前記ＦＯＶと関連付けられたコンテキスト情報に少なくとも部分的に基づいて、前記ＦＯＶ内の標的相互作用可能オブジェクトを識別することと、
前記相互作用可能オブジェクトのグループの前記密度が閾値密度を越えることを判定することと、
前記相互作用可能オブジェクトの前記密度が前記閾値密度を越えるという判定に基づいて、前記標的相互作用可能オブジェクトと関連付けられた選択イベントを開始することと
を行う、ハードウェアプロセッサと
を備える、ウェアラブルシステム。
【請求項１２】
前記相互作用可能オブジェクトのグループは、データ構造内に記憶され、各相互作用可能オブジェクトと関連付けられたインデックスは、前記３Ｄ空間内の前記相互作用可能オブジェクトの位置に少なくとも部分的に基づいて、判定される、請求項１１に記載のウェアラブルシステム。
【請求項１３】
前記標的相互作用可能オブジェクト上での選択イベントの開始に応答して、前記ウェアラブルシステムの前記プロセッサは、２次元（２Ｄ）インターフェース内に、前記３Ｄ空間内の前記標的相互作用可能オブジェクトの閾値範囲内の仮想オブジェクトを提示するようにプログラムされる、請求項１１に記載のウェアラブルシステム。
【請求項１４】
前記２Ｄインターフェースは、ユーザ入力デバイスを介して相互作用可能である、請求項１３に記載のウェアラブルシステム。
【請求項１５】
前記ＦＯＶ内の前記標的相互作用可能オブジェクトを識別するために、前記プロセッサは、
前記ユーザの姿勢に基づいて、前記ユーザの視線の経路を判定し、前記視線の経路と交差する相互作用可能オブジェクトを前記標的相互作用可能オブジェクトとして選択すること、または
前記ユーザのＦＯＶ内の最左または最右相互作用可能オブジェクトを前記標的相互作用可能オブジェクトとして選択することであって、前記最左または前記最右相互作用可能オブジェクトは、前記相互作用可能オブジェクトのグループと関連付けられたインデックスに少なくとも部分的に基づいて選択される、こと
のうちの少なくとも１つを行うように構成される、請求項１１に記載のウェアラブルシステム。
【請求項１６】
前記プロセッサは、ユーザ入力デバイスからの入力の受信または前記ユーザの姿勢の変化の検出のうちの少なくとも１つに応答して、前記選択イベントを開始するように構成される、請求項１１に記載のウェアラブルシステム。
【請求項１７】
前記プロセッサは、前記標的相互作用可能オブジェクトと関連付けられた焦点インジケータを提示するようにさらに構成される、請求項１１−１６のいずれか１項に記載のウェアラブルシステム。
【請求項１８】
前記ユーザの場所と関連付けられたデータを取得するように構成されるジオロケーションセンサをさらに備え、前記標的相互作用可能オブジェクトは、天気アプリケーションを備え、前記天気アプリケーションは、
前記ジオロケーションセンサによって取得されたデータに基づいて、前記ユーザの場所を判定することと、
遠隔コンピューティングデバイスと通信し、前記ユーザの場所に基づいて、天気データを取得することと、
前記天気データと関連付けられた仮想要素を生成することと、
前記仮想要素を前記ユーザの３Ｄ空間内に重畳することと
を行うようにプログラムされる、請求項１１に記載のウェアラブルシステム。
【手続補正２】
【補正対象書類名】明細書
【補正対象項目名】０００７
【補正方法】変更
【補正の内容】
【０００７】
本明細書に説明される主題の１つまたはそれを上回る実装の詳細が、付随の図面および以下の説明に記載される。他の特徴、側面、および利点は、説明、図面、および請求項から明白となるであろう。本概要または以下の発明を実施するための形態のいずれも、本発明の主題の範囲を定義または限定することを主張するものではない。
本発明は、例えば、以下を提供する。
（項目１）
ウェアラブルデバイスのためのユーザ入力モードを変更するためのシステムであって、
３次元（３Ｄ）ビューをユーザに提示するように構成される、ウェアラブルデバイスのディスプレイシステムであって、前記３Ｄビューは、相互作用可能オブジェクトを備える、ウェアラブルデバイスのディスプレイシステムと、
ユーザ入力を受信するように構成される、ユーザ入力デバイスと、
前記ユーザの姿勢と関連付けられたデータを取得するように構成される、センサと、
前記ユーザ入力デバイスと通信する、ハードウェアプロセッサであって、
前記相互作用可能オブジェクトと相互作用するための現在のユーザ入力モードが、第１のユーザ入力モードであるかまたは第２のユーザ入力モードであるかを判定することであって、
前記第１のユーザ入力モードは、少なくとも部分的に、前記ユーザの姿勢に基づいており、
前記第２のユーザ入力モードは、少なくとも部分的に、前記ユーザ入力デバイスからのユーザ入力に基づいている、ことと、
前記現在のユーザ入力モードが前記第１のユーザ入力モードであることの判定に応答して、
前記センサを使用して、前記ユーザの姿勢を監視することと、
前記ディスプレイシステムを介して、少なくとも部分的に、前記監視される姿勢に基づいて、前記第１のユーザ入力モードと関連付けられた第１の形状における焦点インジケータを前記ユーザの姿勢に関連する方向に提示することと、
第１のインジケーションを受信し、前記第２のユーザ入力モードに切り替えることと、
前記第１のインジケーションに応答して、前記現在のユーザ入力モードを前記第２のユーザ入力モードに切り替えることと、
前記現在のユーザ入力モードが前記第２のユーザ入力モードであることの判定に応答して、
前記ユーザ入力デバイスからのユーザ入力を監視することと、
前記ディスプレイシステムを介して、少なくとも部分的に、前記監視される入力に基づいて、前記第２のユーザ入力モードと関連付けられた第２の形状における焦点インジケータを提示することと、
第２のインジケーションを受信し、前記第１のユーザ入力モードに切り替え、
前記第２のインジケーションに応答して、前記現在のユーザ入力モードを前記第１のユーザ入力モードに切り替えることと
を行うようにプログラムされる、ハードウェアプロセッサと
を備える、システム。
（項目２）
前記プロセッサはさらに、
少なくとも部分的に、前記ユーザの姿勢に基づいて、前記ユーザの視野（ＦＯＶ）を判定することであって、前記ＦＯＶは、前記ユーザによって所与の時間に知覚された前記ユーザの環境の一部を備える、ことと、
前記ＦＯＶと関連付けられたコンテキスト情報を判定することであって、前記コンテキスト情報は、前記ＦＯＶ内の前記相互作用可能オブジェクトのレイアウト、前記ＦＯＶのサイズ、前記ユーザのＦＯＶ内の前記相互作用可能オブジェクトのうちの１つまたはそれを上回るもののサイズのうちの少なくとも１つを備える、ことと、
少なくとも部分的に、前記コンテキスト情報に基づいて、前記第１のユーザ入力モードから前記第２のユーザ入力モードにまたは前記第２のユーザ入力モードから前記第１のユーザ入力モードに切り替えるためのオプションを提示することと
を行うようにプログラムされる、項目１に記載のシステム。
（項目３）
前記オプションを提示するために、前記プロセッサは、前記現在のユーザ入力モードが前記第１のユーザ入力モードにあるとき、前記第２の形状における前記焦点インジケータを提示し、前記現在のユーザ入力モードが前記第２のユーザ入力モードにあるとき、前記第１の形状における前記焦点インジケータを提示するようにプログラムされる、項目３に記載のシステム。
（項目４）
前記第１のインジケーションは、前記ユーザの姿勢における変化を備え、前記第２のインジケーションは、前記ユーザ入力デバイスの作動を備える、項目１に記載のシステム。
（項目５）
前記ユーザの姿勢は、頭部姿勢、眼姿勢、足姿勢、または身体姿勢のうちの少なくとも１つを備える、または前記センサは、内向きに面したイメージングシステム、外向きに面したイメージングシステム、または慣性測定ユニットのうちの少なくとも１つを備える、または前記ディスプレイシステムは、前記相互作用可能オブジェクトのうちの１つまたはそれを上回るものを複数の深度平面に表示するように構成される、ライトフィールドディスプレイを備える、項目１−４のいずれか１項に記載のシステム。
（項目６）
ウェアラブルデバイスのためのユーザ入力モードを変更するための方法であって、
コンピュータプロセッサを備えるウェアラブルデバイスの制御下であって、前記ウェアラブルデバイスは、ユーザの動眼視野（ＦＯＲ）内の相互作用可能オブジェクトとのユーザ相互作用を可能にするように構成され、前記ＦＯＲは、前記ウェアラブルデバイスのディスプレイシステムを介して前記ユーザによって知覚可能な前記ユーザの周囲の環境の一部を備える、ウェアラブルデバイスの制御下で、
ユーザの姿勢を判定するステップと、
前記ディスプレイシステムを介して、標的相互作用可能オブジェクトと関連付けられた第１の焦点インジケータを前記ユーザの姿勢に関連する方向に表示するステップであって、前記標的相互作用可能オブジェクトは、複数の仮想オブジェクトを備える、ステップと、
前記標的相互作用可能オブジェクトの選択を受信するステップと、
前記ユーザ入力モードを姿勢からユーザ入力デバイス上での手のジェスチャに切り替えるためのオプションを前記ユーザに提示するステップと、
前記ディスプレイシステムを介して、前記複数の仮想オブジェクトを表示するステップと、
前記ユーザが前記ユーザ入力モードを姿勢から前記ユーザ入力デバイス上での手のジェスチャに切り替えたことの判定に応答して、前記ディスプレイシステムを介して、前記複数の仮想オブジェクトのうちの標的仮想オブジェクトと関連付けられた第２の焦点インジケータを表示するステップと、
少なくとも部分的に、前記ユーザ入力デバイスからのユーザ入力に基づいて、前記第２の焦点インジケータを更新するステップと
を含む、方法。
（項目７）
前記オプションは、前記標的相互作用可能オブジェクトの選択または前記複数の仮想オブジェクトまたは前記標的相互作用可能オブジェクトと関連付けられたコンテキスト情報に応答して提示される、項目６に記載の方法。
（項目８）
前記コンテキスト情報は、前記複数の仮想オブジェクトの密度を備え、前記ユーザ入力モードを姿勢からユーザ入力デバイス上での手のジェスチャに切り替えるためのオプションは、前記複数の仮想オブジェクトの密度が閾値密度を超えることの判定に応答して提示されるステップを含む、項目７に記載の方法。
（項目９）
前記第２の焦点インジケータを更新するステップは、前記第２の焦点インジケータを前記標的仮想オブジェクトから前記複数の仮想オブジェクトのうちの別の仮想オブジェクトに移行するステップを含む、項目６に記載の方法。
（項目１０）
選択イベントを前記標的仮想オブジェクト上で開始するステップをさらに含み、前記選択イベントは、前記標的仮想オブジェクトと関連付けられたメニューを開くステップまたは前記標的仮想オブジェクトを選択するインジケーションを受信するステップのうちの少なくとも１つを備える、項目６に記載の方法。
（項目１１）
前記標的仮想オブジェクトは、少なくとも部分的に、前記ユーザの姿勢に少なくとも部分的に基づいて、識別される、項目６−１０のいずれか１項に記載の方法。
（項目１２）
前記複数の仮想オブジェクトは、天気アプリケーションまたは天文学アプリケーションのうちの少なくとも１つを備え、前記天気アプリケーションの選択に応答して、前記ウェアラブルデバイスは、前記ユーザの環境内のオブジェクト上に重畳された仮想天気情報を表示するようにプログラムされ、前記天文学アプリケーションの選択に応答して、前記ウェアラブルデバイスは、前記ユーザの環境上に重畳された３次元仮想惑星を備える相互作用可能惑星系を表示するようにプログラムされる、項目６に記載の方法。
（項目１３）
３次元（３Ｄ）空間内に位置する仮想オブジェクトを選択するためのウェアラブルシステムであって、
仮想オブジェクトを３Ｄ空間内に提示するように構成される、ディスプレイシステムと、
相互作用可能オブジェクトを前記３Ｄ空間内に記憶するように構成される、非一過性データ記憶と、
ユーザの姿勢を判定するように構成される、センサと、
前記ディスプレイシステム、前記データ記憶、および前記センサと通信するようにプログラムされる、ハードウェアプロセッサであって、
少なくとも部分的に、前記センサから受信されたデータに基づいて、前記ユーザの姿勢を判定することと、
少なくとも部分的に、前記ユーザの姿勢に基づいて、前記ユーザの視野（ＦＯＶ）を判定することであって、前記ＦＯＶは、前記ユーザによって所与の時間に知覚された前記ユーザの環境の一部を備える、ことと、
前記ＦＯＶ内の相互作用可能オブジェクトのグループを識別することと、
少なくとも部分的に、前記ユーザの姿勢に基づいて、前記ＦＯＶ内の標的相互作用可能オブジェクトを識別することと、
前記標的相互作用可能オブジェクトと関連付けられた選択イベントを開始することと
を行う、ハードウェアプロセッサと
を備える、ウェアラブルシステム。
（項目１４）
前記相互作用可能オブジェクトのグループは、データ構造内に記憶され、各相互作用可能オブジェクトと関連付けられたインデックスは、少なくとも部分的に、前記３Ｄ空間内の前記相互作用可能オブジェクトの位置に基づいて、判定される、項目１３に記載のウェアラブルシステム。
（項目１５）
前記標的相互作用可能オブジェクト上での選択イベントの開始に応答して、前記ウェアラブルシステムのプロセッサは、２次元（２Ｄ）インターフェース内に、前記３Ｄ空間内の前記標的相互作用可能オブジェクトの閾値範囲内の仮想オブジェクトを提示するようにプログラムされる、項目１３に記載のウェアラブルシステム。
（項目１６）
前記２Ｄインターフェースは、ユーザ入力デバイスを介して相互作用可能である、項目１５に記載のウェアラブルシステム。
（項目１７）
前記ＦＯＶ内の標的相互作用可能オブジェクトを識別するために、前記プロセッサは、
前記ユーザの姿勢に基づいて、前記ユーザの視線の経路を判定し、前記視線の経路と交差する相互作用可能オブジェクトを前記標的相互作用可能オブジェクトとして選択するステップ、または
前記ユーザのＦＯＶ内の最左または最右相互作用可能オブジェクトを前記標的相互作用可能オブジェクトとして選択するステップであって、前記最左または前記最右相互作用可能オブジェクトは、少なくとも部分的に、前記相互作用可能オブジェクトのグループと関連付けられたインデックスに基づいて選択される、ステップ、
のうちの少なくとも１つを行うように構成される、項目１３に記載のウェアラブルシステム。
（項目１８）
前記プロセッサは、ユーザ入力デバイスからの入力の受信または前記ユーザの姿勢の変化の検出のうちの少なくとも１つに応答して、前記選択イベントを開始するように構成される、項目１３に記載のウェアラブルシステム。
（項目１９）
前記プロセッサはさらに、前記標的相互作用可能オブジェクトと関連付けられた焦点インジケータを提示するように構成される、項目１３−１９のいずれか１項に記載のウェアラブルシステム。
（項目２０）
前記ユーザの場所と関連付けられたデータを取得するように構成される、ジオロケーションセンサをさらに備え、前記標的相互作用可能オブジェクトは、天気アプリケーションを備え、前記天気アプリケーションは、
前記ジオロケーションセンサによって取得されたデータに基づいて、前記ユーザの場所を判定することと、
遠隔コンピューティングデバイスと通信し、前記ユーザの場所に基づいて、天気データを取得することと、
前記天気データと関連付けられた仮想要素を生成することと、
前記仮想要素を前記ユーザの３Ｄ空間内に重畳することと
を行うようにプログラムされる、項目１３に記載のウェアラブルシステム。